【事件の表示】
　平成　９年特許願第　４８３１２号「無線電話機」拒絶査定不服審判事件〔平成１０年　９月１４日出願公開、特開平１０−２４７９６８〕について、次のとおり審決する。
【結　論】
　本件審判の請求は、成り立たない。
【理　由】
１．手続の経緯・本願発明
　本願は、平成９年３月３日の出願であって、本願の請求項１に係る発明（以下、「本願発明」という。）は、平成１３年１２月２６日付けの手続補正により補正された明細書及び図面の記載からみて、その請求項１に記載された次のとおりのものである。
　
「【請求項１】　マイクロホン(１)及びスピーカ(11)を具えて、マイクロホン(１)に入力される送話音声を音声信号として送受信回路(６)から相手局へ送信すると共に、相手局から送られてくる音声信号を送受信回路(６)にて受信し、受話音声としてスピーカ(11)から出力する無線電話機において、
　マイクロホン(１)から送受信回路(６)へ供給すべき送話音声信号を増幅する送話音量調整手段と、
　送受信回路(６)からスピーカ(11)へ供給すべき受話音声信号を増幅する受話音量調整手段と、
　小声で送話せんとする際に操作すべき秘話モード設定手段と、
　秘話モードが設定されたときは、送話音量調整手段のゲインを増大させると同時に、受話音量調整手段のゲインを増大させる制御手段と、
　秘話モードの設定されていない通常モードにおける受話音量レベルを可変設定するための受話音量設定手段
とを具え、前記制御手段は、秘話モード設定直前の通常モードにおける受話音量レベルに応じて、秘話モードにおける受話音量調整手段のゲインの大きさを設定すると共に、秘話モード設定直前の通常モードにおける受話音量レベルが受話音量調整手段の所定の最大音量レベルに設定されているときは、秘話モードにおける受話音量調整手段のゲインを通常モード時と同じ値に維持することを特徴とする無線電話機。」
　　　　
２.　引用例に記載された発明
　原査定の拒絶理由に引用され、本願の出願の日前である平成８年１１月２７日に頒布された登録実用新案第３０３４５５０号公報（以下、「引用例」という。）には、「電話機」の発明に関し、図面とともに以下の記載がある。
　
　イ）「【０００１】
　【考案の属する技術分野】本考案は、周囲の人に迷惑をかけず通話する技術であって、囁くような小さな声で通話するための電話機の音量調整技術に関するものであり、特に携帯電話機やＰＨＳ移動端末機に好適な音量調整技術に関する。」（４頁２行ないし６行）、
　ロ）「【０００８】
　また本考案の電話機は、マイクロホンに入力された音量を調整する送話音量調整部と、前記マイクロホンから入力された周囲の雑音を低減するノイズキャンセラ機能部と、スピーカーから出力する音量を調整する受話音量調整部と、前記送話音量調整部及び受話音量調整部の各音量調整レベルの設定値を記憶する記憶手段と、通話モードの切替え操作手段と、動作状態が通常の通話モードでの通話時に前記切替え操作手段が操作されたとき前記送話音量調整部及び受話音量調整部の音量調整レベルを共に前記記憶手段の設定値から所定レベル増大させるとともに前記ノイズキャンセラ機能部を動作させる特定の通話モードに動作状態を切り替え、前記特定の通話モードでの通話時に前記切替え操作手段が操作されたとき動作状態を前記通常の通話モードに戻して送話音量調整部及び受話音量調整部の音量調整レベルを共に前記記憶手段の設定値に戻すとともに前記ノイズキャンセラ機能部の動作を停止させる制御部とを具備させた。」（第５頁１５行ないし２７行）、
　ハ）「【００１０】
　【考案の実施の形態】 図１は本考案の一実施形態を示す携帯電話機のブロック図で、スピーカーＳＰ、マイクロホンＭＣ、制御部１、受話音量調整機能部２、送話音量調整機能部３、ノイズキャンセラ機能部４，マンマシンインターフェス５，操作部６で構成される。ＴＸは送話（送信）部、ＲＸは受話（受信）部である。またｃで示すラインは制御部１の制御信号ラインを示す。ｄで示すラインは音声信号ラインを示す。」（第６頁下から１５行ないし下から８行）、
　ニ）「【００１１】
　受話（受信）部ＲＸから音声信号は受話音量調整機能部２で増幅され、スピーカーＳＰから音声出力される。マイクロホンＭＣから入力された音声信号は送話音量調整機能部３で増幅され、ノイズキャンセラ機能部４を通過して送話（送信）部ＴＸに送られる。」（第６頁下から６行ないし下から２行）、
　
　ホ）「【００１２】
　操作部６の図示せぬ特定のボタン（通話モード切替ボタン）が押されるとマンマシンインターフェース５を通じ制御部１はそれを検出部ａで検出し特定通話モードに切替わる。受話音量調整機能部２及び送話音量調整機能部３の各音量調整レベルの通常通話モード時の設定値は制御部１が具備する書換え可能なメモリｂに設定記憶されている。
【００１３】
　前記特定通話モードでは、制御部１は切替え前（通常通話モード時）よりも送話音量調整機能部３の音量調整レベル（例：増幅率）をメモリｂの前述の設定値から所定レベル増大（マイク感度アップ）させ、ノイズキャンセラ機能部４を動作させ、さらに受話音量調整機能部２の音量調整レベル（例：増幅率）を同様に切替え前（通常通話モード時）のメモリｂの前述の設定値から所定レベル増大させる制御を行う。」（第７頁初行ないし１３行）、
　
　上記引用例の記載では受話部ＲＸと送話部ＴＸとが別の回路ブロックとして記載されているが、これらの回路は、表現上全体を一つにくくって、「送話部ＴＸ・受話部ＲＸ」と整理した上で、上記引用例の記載、及び技術常識を考慮すると、引用例には、
「マイクロホン（ＭＣ）及びスピーカ（ＳＰ）を具えて、マイクロホン（ＭＣ）に入力される送話音声を音声信号として送話部ＴＸ・受話部ＲＸから相手局へ送信すると共に、相手局から送られてくる音声信号を送話部ＴＸ・受話部ＲＸにて受信し、受話音声としてスピーカ（ＳＰ）から出力する無線電話機において、
マイクロホン（ＭＣ）から送話部ＴＸ・受話部ＲＸへ供給すべき送話音声信号を増幅する送話音量調整機能部（３）と、
送話部ＴＸ・受話部ＲＸからスピーカ（ＳＰ）へ供給すべき受話音声信号を増幅する受話音量調整機能部（２）と、
小声で送話せんとする際に操作すべき通話モード切替ボタンと、
特定通話モードが設定されたときは、前記送話音量調整機能部（３）の音量調整レベル（例：増幅率）を増大させると同時に、受話音量調整機能部（２）の音量調整レベル（例：増幅率）を増大させる制御部（１）と、
特定通話モードが設定されていない通常通話モードにおける受話音量調整レベルを可変設定するための書き換え可能なメモリｂ等
とを具え、前記制御部（１）は、特定通話モード設定直前の通常通話モードにおける前記メモリｂの設定値に対し、特定モードにおける受話音量調整機能部（２）の音量調整レベル（例：増幅率）を所定レベル増大させる制御を行うことを特徴とする無線電話機。」の発明（以下、「引用発明」という。）が開示されているものと認められる。
　　
３.　対比
　そこで、本願発明と引用発明とを対比する。
　　
　イ）引用発明の「送話部ＴＸ・受話部ＲＸ」、「送話音量調整機能部」、「受話音量調整機能部」が、それぞれ本願発明の「送受信回路」、「送話音量調整手段」、「受話音量調整手段」に相当することが明らかである。
　ロ）引用発明の「通話モード切替ボタン」、「特定通話モード」、「音量調整レベル（例：増幅率）」、「制御部」が、それぞれ本願発明の「秘話モード設定手段」、「秘話モード」、「ゲイン」、「制御手段」に相当することが明らかである。
　ハ）引用発明の「特定通話モードが設定されていない通常通話モードにおける受話音量調整レベルを可変設定するための書き換え可能なメモリｂ等」が、本願発明の「秘話モードの設定されていない通常モードにおける受話音量レベルを可変設定するための受話音量設定手段」に対応することが明らかである。
　ニ）引用発明の「制御部（１）は、特定通話モード設定直前の通常通話モードにおける前記メモリｂの設定値に対し、特定モードにおける受話音量調整機能部（２）の音量調整レベル（例：増幅率）を所定レベル増大させる制御を行う」が、本願発明の「制御手段は、秘話モード設定直前の通常モードにおける受話音量レベルに応じて、秘話モードにおける受話音量調整手段のゲインの大きさを設定する」に対応することが明らかである。
　　
　したがって、本願発明と引用発明は、次の点で一致し、相違する。
　　
　（一致点）
　マイクロホン及びスピーカを具えて、マイクロホンに入力される送話音声を音声信号として送受信回路から相手局へ送信すると共に、相手局から送られてくる音声信号を送受信回路にて受信し、受話音声としてスピーカから出力する無線電話機において、
マイクロホンから送受信回路へ供給すべき送話音声信号を増幅する送話音量調整手段と、
送受信回路からスピーカへ供給すべき受話音声信号を増幅する受話音量調整手段と、
小声で送話せんとする際に操作すべき秘話モード設定手段と、
秘話モードが設定されたときは、送話音量調整手段のゲインを増大させると同時に、受話音量調整手段のゲインを増大させる制御手段と、
秘話モードの設定されていない通常モードにおける受話音量レベルを可変設定するための受話音量設定手段
とを具え、前記制御手段は、秘話モード設定直前の通常モードにおける受話音量レベルに応じて、秘話モードにおける受話音量調整手段のゲインの大きさを設定することを特徴とする無線電話機。
　　
　（相違点）
　本願発明は、制御手段が「秘話モード設定直前の通常モードにおける受話音量レベルが受話音量調整手段の所定の最大音量レベルに設定されているときは、秘話モードにおける受話音量調整手段のゲインを通常モード時と同じ値に維持する」のに対して、引用発明ではこの点について明示しない点。
　　
４．当審の判断
　そこで相違点について検討する。
　
　先ず、「秘話モード設定直前の通常モードにおける受話音量レベルが受話音量調整手段の所定の最大音量レベルに設定されているときは、」についてであるが、引用例には、このような設定状態について具体的に明示があるわけではない。しかし、そもそも音量調整手段というものは、すくなくとも最大と最小のレベルを有し、その間で調整されるように設計されることが技術常識である。　よって、引用例のものが「秘話モード設定直前の通常モードにおける受話音量レベルが受話音量調整手段の所定の最大音量レベルに設定されているときは、」という状態を、音量調整手段における一つの位置として取りうることが自明である。
　　
　次に、「秘話モードにおける受話音量調整手段のゲインを通常モード時と
同じ値
　もしも仮に、引用例のものが、通常モードにおける受話音量レベルでの最大レベルは、実は最大ではなく、更にもう一段上の最大に調整可能であるということを明示する場合には、「秘話モードにおける受話音量調整手段のゲインを通常モード時と
同じ値に維持
　　
　よって、当該相違点については、引用例には明示がないものの、当業者が適宜なし得る設計事項に過ぎない。
　また、本願発明の作用効果は、引用発明や当該分野における技術常識から当業者が予測できる範囲のものである。
　　
５．　むすび
　以上のとおり、本願発明は、刊行物に記載された発明に基いて当業者が容易に発明をすることができたものであるから、特許法第２９条第２項の規定により特許を受けることができないものである。
　
　よって、結論のとおり審決する。